(57)【要約】【課題】  ＰＰＦタイプの画像読取装置において、ヒンジ部材及びボトムシャーシをＭＰＦタイプの画像読取装置と共通化してコストダウンを図りつつ、ＡＤＦフレームを安定して支持する手段を提供する。【解決手段】  本画像読取装置１は、原稿画像を読み取る画像読取手段を収容してなる装置本体３と、原稿トレイ６から装置本体３の読取位置を経て排紙トレイ７へ原稿を搬送する自動原稿搬送装置４を収容してなるＡＤＦフレーム５と、該ＡＤＦフレーム５を装置本体３に対して回動可能に支持するヒンジ部材７６とを備え、ＡＤＦフレーム５の側部５Ｂを装置本体３に対して回動可能に支持することでその回動を補助する補助支軸２７が設けられたものである。【選択図】  図３
2007300352.tif 000002
【特許請求の範囲】
【請求項１】
原稿画像を読み取る画像読取手段を収容してなる装置本体と、原稿トレイから前記装置本体の読取位置を経て排紙トレイへ原稿を搬送する自動原稿搬送装置を収容してなるＡＤＦフレームと、該ＡＤＦフレームを前記装置本体に対して回動可能に支持するヒンジ部材と、を備えてなる画像読取装置において、
前記ＡＤＦフレームの側部を前記装置本体に対して回動可能に支持することでその回動を補助する補助支軸が設けられたことを特徴とする画像読取装置。
【請求項２】
前記補助支軸を貫通して配線用環状部が形成されるとともに該補助支軸が前記ＡＤＦフレームの側部に形成された支軸挿通孔に挿通され、前記自動原稿搬送装置の電気配線が前記補助支軸の配線用環状部を通して前記装置本体の内部に引き込まれたことを特徴とする請求項１に記載の画像読取装置。
【請求項３】
前記電気配線が、電気ケーブルの端部に接続用のコネクタが設けられてなるハーネスであって、前記補助支軸に、その周面を部分的に切り欠いてなるスリットが軸方向に渡って形成されたことを特徴とする請求項２に記載の画像読取装置。
【発明の詳細な説明】
【技術分野】
【０００１】
本発明は、自動原稿搬送機構を収容してなるＡＤＦフレームが、画像読取手段を収容してなる装置本体に対しヒンジ部材を介して開閉可能に設けられた画像読取装置に関する。
【背景技術】
【０００２】
コピー機、ファクシミリ、スキャナ等には、複写しようとする原稿やファクシミリ送信しようとする原稿の画像を読み取るための画像読取装置が搭載されている。この画像読取装置には、プラテンガラス上に載置された原稿の下方を画像読取手段が移動しながら原稿画像を読み取るフラットベッド方式のものと、搬送路に沿って搬送される原稿の画像を搬送路の所定位置に配置された画像読取手段が読み取るシートスルー方式のものとがある。フラットベッド方式は、フラットベッドスキャナ（以下、「ＦＢＳ」という）により実現され、シートスルー方式は、自動原稿搬送装置（オート・ドキュメント・フィーダー、以下「ＡＤＦ」という）により実現される。
【０００３】
図５は、ＦＢＳとＡＤＦの両方を装備し、ファクシミリ，コピー，スキャナ，プリンタ等の機能を集約した複合機に搭載される従来のＭＦＰ（Ｍｕｌｔｉ−Ｆｕｎｃｔｉｏｎ  Ｐｅｒｉｐｈｅｒａｌｓ）タイプの画像読取装置７０を示す概略斜視図である。図に示すように、画像読取装置７０は、上面にプラテンガラス７１が配設されてなる装置本体７２と、該装置本体７２の上面に開閉可能に設けられＡＤＦ７３を装備してなる原稿押圧板７４とを備えるものである。この画像読取装置７０では、フラットベッド方式で画像読み取りを行う場合、原稿押圧板７４を開いてプラテンガラス７１上に原稿を載置した後、原稿押圧板７４を閉じて原稿をプラテンガラス７１に密着させると、装置本体７２内に収容された図示しない画像読取手段が、原稿に沿って移動しながらプラテンガラス７１越しにその画像を読み取るものとなっている。一方、シートスルー方式で画像読み取りを行う場合、原稿トレイ７５上に積載された原稿が順次ＡＤＦ７３内に繰り込まれ、装置本体７２の読取位置Ｘを通過する際に、その直下に待機した画像読取手段によって原稿画像が読み取られるものとなっている。
【０００４】
この画像読取装置７０では、原稿押圧板７４を装置本体７２に対して開閉可能とするため、図５に示すように、原稿押圧板７４の背面側の２箇所をＭＦＰ用ヒンジ７６によって回動可能に支持している。より詳細には、装置本体７２は、上部が開口されたボトムシャーシ７７と、プラテンガラス７１が配設されてボトムシャーシ７７の上部開口を覆うシャーシカバー７８とから構成され、ボトムシャーシ７７とシャーシカバー７８の背面側には、ＭＦＰ用ヒンジ７６を嵌入するための嵌入穴７９がそれぞれ形成されている。ＭＦＰ用ヒンジ７６は、その基端部がボトムシャーシ７７とシャーシカバー７８の嵌入穴７９にそれぞれ嵌入されることによって装置本体７２に固定され、該基端部に対して回動可能に設けられた先端部が原稿押圧板７４に固定される。これにより、原稿押圧板７４が装置本体７２上に回動可能に支持されている。
【０００５】
一方、図６は、ＡＤＦのみを装備し、普通紙ファクシミリに搭載される従来のＰＰＦ（Ｐｌａｉｎ  Ｐａｐｅｒ  Ｆａｃｓｉｍｉｌｅ）タイプの画像読取装置８０を示す概略斜視図である。画像読取装置８０は、図示しない画像読取手段を収容してなる装置本体８１と、ＡＤＦ８２を収容してなるＡＤＦフレーム８３とを備えるものであって、原稿トレイ８４上に積載された原稿がＡＤＦ８２内に順次繰り込まれ、装置本体８１の読取位置Ｘを通過する際に、その直下に配置された画像読取手段によって原稿画像が読み取られた後、排紙トレイ８５に排出されるものとなっている。この画像読取装置８０では、ＡＤＦ８２内部で詰まった原稿を除去したり、ＡＤＦ８２のメンテナンスを行いやすいよう、ＡＤＦフレーム８３が装置本体８１に対して開閉可能に設けられている。
【０００６】
この画像読取装置８０では、ＡＤＦフレーム８３を装置本体８１に対して開閉可能とするため、図６に示すように、前記ＭＦＰ用ヒンジ７６とは異なるＰＰＦ用ヒンジ８６によってＡＤＦフレーム８３の背部を回動可能に支持している。このように、専用のＰＰＦ用ヒンジ８６を使用するのは、ＡＤＦフレーム８３を装置本体８１上により安定して支持するためである。すなわち、ＰＰＦタイプの画像読取装置８０も、ＭＦＰタイプの画像読取装置７０と同様に、その装置本体８１は、上部が開口されたボトムシャーシ８７と原稿トレイ８４や排紙トレイ８５が設けられてボトムシャーシ８７の上部開口を覆うシャーシカバー８８とから装置本体８１が構成されるが、ボトムシャーシ８７用の金型を新規に作製するコストを削減するため、そのボトムシャーシ８７をＭＦＰタイプの画像読取装置７０のボトムシャーシ７７と共通化する場合がある。しかし、この場合、ボトムシャーシ８７に形成された図示しない嵌入穴の位置は、原稿押圧板７４の重心位置を考慮してこれを安定して支持できるよう決定された位置であるため、ＰＰＦタイプの画像読取装置８０にＭＦＰ用ヒンジ７６をそのまま流用してボトムシャーシ８７の嵌入穴に取り付けたのでは、ＭＦＰ用ヒンジ７６のＡＤＦフレーム８３への取り付け位置が悪く、ＡＤＦフレーム８３を安定して支持することができない。従って、ボトムシャーシ８７の嵌入穴に取り付け可能であって、且つ、ＡＤＦフレーム８３の重心位置を考慮して設けられた左右一対のフレーム支持部８９を備えたＰＰＦ用ヒンジ８６をＭＦＰ用ヒンジ７６とは別に作製している。これにより、ボトムシャーシ８７をＭＦＰタイプの画像読取装置７０と共通化させつつ、ＡＤＦフレーム８３を装置本体８１上により安定した状態で支持することが可能となっている。
【０００７】
また、ＭＦＰタイプの画像読取装置７０やＰＰＦタイプの画像読取装置８０では、図に詳細は示さないが、ＡＤＦ７３，８２を構成するセンサ等が、画像読取装置７０，８０の下方に設けられる図示しない画像形成装置の回路基板に対して電気配線を介して電気的に接続される。この電気配線は、ＭＦＰタイプの画像読取装置７０では原稿押圧板７４の外部へ一旦引き出された後、画像形成装置の内部に引き込まれる構成となっている（例えば特許文献１参照）。そして、電気配線のうち原稿押圧板７４の外部に露呈した部分には、感電や漏電を防止するため、絶縁部材等で被覆するいわゆるチュービング処理が施される。一方、ＰＰＦタイプの画像読取装置８０も同様に、電気配線がＡＤＦフレーム８３の外部へ一旦引き出された後、画像形成装置の内部に引き込まれる構成となっており、電気配線のうちＡＤＦフレーム８３の外部に露呈した部分にはチュービング処理が施される。これにより、ＭＦＰタイプの画像読取装置７０とＰＰＦタイプの画像読取装置８０とで電気配線を共通化することができ、コスト削減及び部品管理の容易化を図ることが可能となっている。
【０００８】
【特許文献１】特開２００３−０６９６５４号公報
【発明の開示】
【発明が解決しようとする課題】
【０００９】
しかし、従来のＰＰＦタイプの画像読取装置８０では、そのボトムシャーシ８７をＭＦＰタイプの画像読取装置７０のボトムシャーシ７７と共通化する場合、ＡＤＦフレーム８３を安定して支持するためにはＭＰＦ用ヒンジ７６を流用することができず、専用のＰＰＦ用ヒンジ８６を別途作製する必要があるため、新規金型費が発生してコストアップするという問題がある。
【００１０】
また、従来の画像読取装置７０，８０では、読み取り可能な用紙サイズの種類が少なく、ＡＤＦ７３，８２を構成するセンサ等の数も少なかったため、前述のように各センサと画像形成装置の回路基板とを電気配線によって直接接続していた。しかし、近年の画像読取装置では、読み取り可能な用紙サイズの種類が増え、これに伴ってＡＤＦを構成するセンサ等の数も増加している。従って、多くの電気配線を長い距離に渡って引き回すことを避けるため、ＡＤＦ７３，８２と回路基板の間に中継基板を設け、各センサを中継基板にそれぞれ接続し、中継基板と回路基板を１本の電気配線で接続する構成が採用される。
【００１１】
この中継基板は、ＰＰＦタイプの画像読取装置８０の場合、その装置本体８１の所定位置に配設される。この場合、ＡＤＦ８２からの複数の電気配線は、ＡＤＦフレーム８３の外部へ一旦引き出されて中継基板にそれぞれ接続されるため、電気配線のうち外部に露呈した部分にはチュービング処理を施す必要がある。一方、ＭＦＰタイプの画像読取装置７０の場合、中継基板は原稿押圧板７４の内部に配設される。この場合、ＡＤＦ７３からの複数の電気配線は、原稿押圧板７４の内部を引き回されて中継基板に接続されるため、電気配線にはチュービング処理を施す必要がない。これにより、ＰＰＦタイプの画像読取装置８０とＭＰＦタイプの画像読取装置７０とで電気配線を共通化することができないため、コストアップ及び部品管理の複雑化を招くという問題があった。
【００１２】
本発明は、このような問題に鑑みてなされたものであり、装置本体上にＡＤＦフレームがヒンジ部材を介して開閉可能に支持されるＰＰＦタイプの画像読取装置において、ヒンジ部材及び装置本体を構成するボトムシャーシをＭＰＦタイプの画像読取装置と共通化してコストダウンを図りつつ、ＡＤＦフレームを安定して支持する手段を提供する。
【課題を解決するための手段】
【００１３】
上記目的を達成するための請求項１記載の画像読取装置は、原稿画像を読み取る画像読取手段を収容してなる装置本体と、原稿トレイから前記装置本体の読取位置を経て排紙トレイへ原稿を搬送する自動原稿搬送装置を収容してなるＡＤＦフレームと、該ＡＤＦフレームを前記装置本体に対して回動可能に支持するヒンジ部材と、を備えてなる画像読取装置において、前記ＡＤＦフレームの側部を前記装置本体に対して回動可能に支持することでその回動を補助する補助支軸が設けられたものである。
【００１４】
請求項２記載の画像読取装置は、前記補助支軸を貫通して配線用穴が形成されるとともに該補助支軸が前記ＡＤＦフレームの側部に形成された支軸挿通孔に挿通され、前記自動原稿搬送装置の電気配線が前記補助支軸の配線用穴を通して前記装置本体の内部に引き込まれたものである。
【００１５】
請求項３記載の画像読取装置は、前記電気配線が、電気ケーブルの端部に接続用のコネクタが設けられてなるハーネスであって、前記補助支軸に、その周面を部分的に切り欠いてなるスリットが軸方向に渡って形成されたものである。
【発明の効果】
【００１６】
本発明に係る画像読取装置によれば、ＡＤＦフレームは、ヒンジ部材によって回動可能に支持されるとともに、側部が補助支軸で回動可能に支持されることでその回動が補助されるので、ＡＤＦフレームのより安定した支持が可能となる。
【００１７】
また、本発明に係る画像読取装置によれば、ＡＤＦフレームから引き出された電気配線が、外部に露呈することなく装置本体に引き込まれるので、電気配線にチュービング処理を施す必要がない。これにより、ＭＰＦタイプの画像読取装置と電気配線を共通化することができ、コストダウン及び部品管理の容易化を図ることができる。
【００１８】
また、本発明に係る画像読取装置によれば、ハーネスの電気ケーブル部分だけを、スリットを介して補助支軸の配線用穴に容易に挿通させることができる。これにより、ハーネスのコネクタ部分を補助支軸の配線用穴に挿通させる煩わしい作業が不要となり、作業能率を向上させることができる。
【発明を実施するための最良の形態】
【００１９】
以下、本発明の実施例に係る画像読取装置について図面に基づいて説明する。図１は、本画像読取装置１の外観を示す概略斜視図である。本画像読取装置１は、ＡＤＦのみを装備したＰＰＦタイプの画像読取装置１であって、上面にスリットガラス２が配設されてなる装置本体３と、該装置本体３の上面に開閉可能に設けられＡＤＦ４を収容してなるＡＤＦフレーム５と、読み取るべき原稿を載置するための原稿トレイ６と、読み取りが完了した原稿を貯留するための排紙トレイ７と、装置本体３の前面に設けられ画像読取装置１を操作するための操作パネル８と、を具備するものである。
【００２０】
この画像読取装置１では、ユーザが操作パネル８を操作して読み取り開始の命令を発すると、原稿トレイ６上に積載された原稿が最上紙から１枚ずつ繰り出されてＡＤＦ４に供給される。この原稿は、ＡＤＦ４内に設けられた所定の搬送路に沿って搬送され、スリットガラス２の直上を通過する際に、装置本体３に収容された図示しない画像読取手段によってスリットガラス２越しに原稿画像が読み取られる。そして、読み取りが完了した原稿は、ＡＤＦ４から排出されて排紙トレイ７に貯留される。
【００２１】
ここで、画像読取装置１では、ＡＤＦ４内部で詰まった原稿を除去できるように、又はＡＤＦ４のメンテナンス作業を行いやすいように、図１に示すように、ＡＤＦフレーム５が装置本体３に対して開閉可能に設けられている。図２は、図１においてＡＤＦフレーム５の一側部５Ａを拡大した部分拡大分解斜視図である。図に示すように、ＡＤＦフレーム５の一側部５Ａは、ＭＦＰ用ヒンジ７６によって装置本体３上に回動可能に支持されている。
【００２２】
装置本体３は、図２に示すように、上部が開口された筐体状のボトムシャーシ９と、該ボトムシャーシ９の上部開口を封止する蓋状のシャーシカバー１０とから構成される。ボトムシャーシ９は、前記ＭＦＰタイプの画像読取装置７０のボトムシャーシ７７と同じものであって、図に詳細は示さないが、その背面側の左右一端部には、ＭＦＰ用ヒンジ７６を嵌入するための嵌入穴が形成されている。このように、ボトムシャーシ９をＭＦＰタイプの画像読取装置７０と共通化することにより、ボトムシャーシ９用の金型を新規に作製する必要がないのでコストダウンを図ることができるという利点がある。一方、シャーシカバー１０の背面側の左右一端部には、図２に示すように、ＭＦＰ用ヒンジ７６を取り付けるための取付凹部１１が形成され、該取付凹部１１の底部における前記嵌入穴に対応する位置には、シャーシカバー１０を貫通して貫通穴１２が形成されている。また、この貫通穴１２の左右両側には、ネジ孔１３が形成されてなる左右一対のボス部１４がそれぞれ突設されている。
【００２３】
尚、本実施例では、ボトムシャーシ９に形成する２個の嵌入穴の位置は、ＭＦＰタイプの画像読取装置７０において原稿押圧板７４を安定して支持できるように決定され、その一方であって背面側の左右一端部に形成された嵌入穴をＰＰＦタイプの画像読取装置１でも使用している。しかし、この嵌入穴の位置は、本実施例に限られず、原稿押圧板７４の重心位置に応じて適宜変更することが可能である。
【００２４】
ＭＦＰ用ヒンジ７６は、図２に示すように、ＡＤＦフレーム５の幅方向一端側を支持するフレーム支持部１５と、装置本体３に取り付けるための基部１６とがヒンジピン１７を介して回動自在に枢着されてなるものであり、基部１６が固定ネジ１８によりシャーシカバー１０の上面に固定されている。
【００２５】
基部１６は、図２に示すように、シャーシカバー１０の取付凹部１１に取り付けられる取付板１９と、該取付板１９の上面に設けられた略コの字型のヒンジピン支持片２０と、取付板１９の底面から下方へ突設された嵌入片２１とを有している。取付板１９は、平面視が略矩形の平板に、前記各ボス部１４を挿通させるための一対のボス挿通孔２２が形成されたものである。この取付板１９の平面形状は、取付凹部１１の平面形状と略等しく、取付板１９を取付凹部１１に嵌合させて取り付けることで、取付板１９が位置ズレしにくくなっている。また、取付板１９の厚みは取付凹部１１の深さと略等しくなっており、各ボス挿通孔２２に各ボス部１４をそれぞれ挿通させた時に、各ボス部１４の上端面が取付板１９の上面から突出するようなっている。また、ヒンジピン支持片２０には、ヒンジピン１７を挿通させるための一対のピン挿通孔２３が相対向して形成され、各ピン挿通孔２３にヒンジピン１７がそれぞれ挿通されることでヒンジピン１７が架設されている。また、嵌入片２１は、シャーシカバー１０の貫通穴１２を通してボトムシャーシ９の嵌入穴へ嵌入されることで、ＭＦＰ用ヒンジ７６を装置本体３に対して位置決めするものであり、その横断面形状は貫通穴１２及び嵌入穴と略等しくなっている。
【００２６】
フレーム支持部１５は、図２に示すように、円弧状に形成された基端にヒンジピン１７を挿通させるためのピン挿通孔２４が形成されてなるアーム部材２５と、該アーム部材２５の先端に設けられた固定板２６とを備えてなるものである。このフレーム支持部１５は、その先端の固定板２６がＡＤＦフレーム５にネジ等で固定されるとともに、基端のピン挿通孔２４にヒンジピン１７が挿通される。これにより、ＡＤＦフレーム５はヒンジピン１７を支点として回動自在に支持される。
【００２７】
一方、図３は、図１においてＡＤＦフレーム５の他側部５Ｂを拡大した部分拡大分解斜視図である。図に示すように、ＡＤＦフレーム５の他側部５Ｂは、装置本体３に固定された補助支軸２７によって回動可能に支持されている。また、ＡＤＦフレーム５から引き出された複数のハーネス（電気配線）２８が、補助支軸２７を挿通して装置本体３上の中継基板２９にそれぞれ接続されている。以下、更に詳細に説明する。
【００２８】
装置本体３には、図３に示すように、ＡＤＦフレーム５の他側部５Ｂに近接した箇所に、その上面から所定深さだけ段落ちして凹部３０が形成され、この凹部３０に隣接するようにして、所定高さのリブ３１が突設されている。このリブ３１の頂部には、補助支軸２７を取り付けるための取付溝３２と、補助支軸２７を係止するための係止爪３３がそれぞれ設けられている。そして、凹部３０の底部に中継基板２９が固定される一方、リブ３１の頂部に補助支軸２７が固定されている。尚、図３には示していないが、凹部３０は、その内部に塵埃が入らないよう、通常はその開口が蓋部材によって覆われている。
【００２９】
中継基板２９は、図３に示すように、ＡＤＦ４を構成するセンサ等からの複数本のハーネス２８を１本のハーネス３４にまとめて画像形成装置の回路基板に接続することにより、多数のハーネス２８を長い距離に渡って引き回すことを防止するためのものである。この中継基板２９は、ハーネス２８を接続するためのハーネス接続部３５等が設けられた平板部材であって、その四隅がビス３６によって凹部３０の底部に固定されている。
【００３０】
図４は、補助支軸２７の外観を示す概略斜視図である。補助支軸２７は、円筒形状を有しＡＤＦフレーム５を支持するフレーム支持片３７と、平板形状を有しリブ３１に取り付けられる取付片３８とが一体成型されたものである。取付片３８は、平面視が略矩形の平板部材にネジ挿通穴３９が形成されたものである。一方、フレーム支持片３７は、円筒形状の部材を貫通して配線用環状部４０が形成されたものであって、その軸方向長さは取付片３８の幅寸法より長く形成されている。このフレーム支持片３７における取付片３８より外側に突出した部分には、若干縮径された小径部４１が形成されている。また、このフレーム支持片３７には、その周面を部分的に切り欠いてなるスリット４２が軸方向に渡って形成され、ハーネス２８を挿通させやすくなっている。このように構成される補助支軸２７は、図３に示すように、後述するように配線用環状部４０にハーネス２８が挿通された状態で、取付片３８を上にして且つ小径部４１をＡＤＦフレーム５側に向けるようにしてリブ３１の取付溝３２に嵌合され、取付片３８の一端側が係止爪３３で係止されるとともに他端側がネジ４３で固定されている。ここで、補助支軸２７は、リブ３１に固定された状態で、そのフレーム支持片３７の中心軸が、図２に示すＭＦＰ用ヒンジ７６のヒンジピン１７と略同一直線上に位置している。これにより、ＡＤＦフレーム５の一側部５Ａと他側部５Ｂで回動中心が一致するので、ＡＤＦフレーム５をより安定して支持することが可能となっている。尚、補助支軸２７は、ＡＤＦフレーム５を回動可能に支持できれば、その形状は本実施例に限定されず適宜設計変更が可能である。
【００３１】
ＡＤＦフレーム５は、図３に示すように、その側面を貫通して形成された支軸挿通孔４４に対して補助支軸２７の小径部４１が挿通されることにより、その他側部５Ｂが補助支軸２７を支点として回動可能に支持されている。これにより、ＡＤＦフレーム５は、前記ＭＦＰ用ヒンジ７６によって装置本体３上に回動可能に支持されることに加えて、その回動が補助支軸２７によって補助されている。従って、ＭＦＰ用ヒンジ７６の位置がＡＤＦフレーム５の重心位置から外れている場合でも、ＡＤＦフレーム５を安定して支持することが可能となっている。
【００３２】
ハーネス２８は、図３に示すように、電気ケーブル４５の端部に接続用のコネクタ４６が設けられたものである。このハーネス２８は、図３に詳細は示さないが、コネクタ４６と逆側の端部がＡＤＦ４を構成する各種センサ等にそれぞれ接続される一方、コネクタ４６側の端部が、ＡＤＦフレーム５に挿通された補助支軸２７の配線用環状部４０を通して装置本体３の凹部３０に引き込まれ、中継基板２９のハーネス接続部３５にコネクタ４６がそれぞれ接続されている。このように、ＡＤＦフレーム５から引き出されたハーネス２８を外部に露呈させることなく装置本体３に引き込んでいるので、ハーネス２８の電気ケーブルに感電や漏電を防止するためのチュービング処理を施す必要がない。これにより、ＭＦＰタイプの画像読取装置７０とハーネス２８を共通化することができ、コストダウン及び部品管理の容易化を図ることができる。また、前述のように、補助支軸２７のフレーム支持片３７にスリット４２を形成したので、電気ケーブル４５をスリット４２から配線用環状部４０に押し込むだけの容易な作業で、ハーネス２８を補助支軸２７に挿通させることができる。これにより、コネクタ４６を補助支軸２７の配線用環状部４０を通過させる煩わしい作業が不要となり、作業能率を向上させることができる。
【産業上の利用可能性】
【００３３】
本発明は、自動原稿搬送機構を収容してなるＡＤＦフレームが、画像読取手段を収納してなる装置本体に対しヒンジ部材を介して開閉可能に設けられた画像読取装置に適用可能である。
【図面の簡単な説明】
【００３４】
【図１】本発明の実施例に係る画像読取装置１の外観を示す概略斜視図。
【図２】図１においてＡＤＦフレーム５の一側部５Ａを拡大した部分拡大分解斜視図。
【図３】図１においてＡＤＦフレーム５の他側部５Ｂを拡大した部分拡大分解斜視図。
【図４】補助支軸２７の外観を示す概略斜視図。
【図５】従来例に係るＭＦＰタイプの画像読取装置７０の外観を示す概略斜視図。
【図６】従来例に係るＰＰＦタイプの画像読取装置８０の外観を示す概略斜視図。
【符号の説明】
【００３５】
１  画像読取装置
３  装置本体
４  ＡＤＦ（自動原稿搬送装置）
５  ＡＤＦフレーム
６  原稿トレイ
７  排紙トレイ
２７  補助支軸
２８  ハーネス（電気配線）
４０  配線用環状部
４２  スリット
４４  支軸挿通孔
４５  電気ケーブル
４６  コネクタ
７６  ＭＦＰ用ヒンジ（ヒンジ部材）
【図１】
2007300352.tif 000003
【図２】
2007300352.tif 000004
【図３】
2007300352.tif 000005
【図４】
2007300352.tif 000006
【図５】
2007300352.tif 000007
【図６】
2007300352.tif 000008